【事件の表示】
　特願２００１−　５１９５８「基本パスワードをリモートで復元するデータ処理のシステム及び方法」拒絶査定不服審判事件〔平成１３年１０月１９日出願公開、特開２００１−２９０７７６、請求項の数（１２）〕について、次のとおり審決する。
【結　論】
　原査定を取り消す。
　本願の発明は、特許すべきものとする。
【理　由】
１．手続の経緯
　本願は、平成１３年２月２７日（パリ条約による優先権主張２０００年３月１日、米国）の出願であって、平成１５年７月１４日付けで拒絶の理由が通知され、平成１６年１月２２日付けで手続補正がなされたものの、同年３月１１日付けで拒絶査定がなされた。その後、同年６月１４日に拒絶査定不服審判請求がなされると共に同日付けで手続補正がなされたものである。
　
２．補正の適否
　平成１６年６月１４日付け手続補正（以下、「本件手続補正」という。）により、特許請求の範囲は
  「【請求項１】
　データ処理システムにおいてクライアント・コンピュータ・システムの基本パスワードをリモートで復元する方法であって、該基本パスワードはユーザが該クライアント・コンピュータ・システムにアクセスする前に必要であり、該クライアント・コンピュータ・システムはネットワークを利用してサーバ・コンピュータ・システムに接続されており、
　前記方法は、
　ユーザによって与えられた質問及び期待される答えをクライアント・コンピュータ・システムの固有クライアントＩＤとともに前記クライアント・コンピュータ・システムから前記サーバ・コンピュータ・システムに、前記クライアント・コンピュータ・システムによって転送するステップと、
　前記転送された質問及び期待される答えをクライアント・コンピュータ・システムＩＤとともに前記サーバ・コンピュータ・システムの保護ストレージ中に前記サーバ・コンピュータ・システムによって保存するステップと、
　前記クライアント・コンピュータ・システムがブート・プロセスを完了する前に、
　　前記基本パスワードの入力をユーザに要求するステップと、
　　前記基本パスワードの入力ミスに応答して、
　　　前記基本パスワードの入力ミスに応答し、前記質問のためのリクエストを前記クライアント・コンピュータ・システムから前記サーバ・コンピュータ・システムに、前記クライアント・コンピュータ・システムによって転送するステップと、
　　　要求された質問を前記サーバ・コンピュータ・システムから前記クライアント・コンピュータ・システムに、前記サーバ・コンピュータ・システムによって転送するステップと、
　　　前記転送された質問を前記クライアント・コンピュータ・システムによって表示するステップと、
　　　前記表示された質問に対する答えを入力することを、ユーザに前記クライアント・コンピュータ・システムによって要求するステップと、
　　　前記入力された答えを前記クライアント・コンピュータ・システムから前記サーバ・コンピュータ・システムに、前記クライアント・コンピュータ・システムによって転送するステップと、
　　　前記転送された答えと前記クライアント・コンピュータ・システムにある前記期待される答えを、前記サーバ・コンピュータ・システムによって比較するステップと、
　　　前記答えが同じならば、前記基本パスワードを前記サーバ・コンピュータ・システムから前記クライアント・コンピュータ・システムに、前記サーバ・コンピュータ・システムによって転送するステップと
　　を含み、
　前記クライアント・コンピュータ・システムが、前記ブート・プロセスを完了する前に前記転送された基本パスワードを利用することによって、前記サーバ・コンピュータ・システムから前記基本パスワードを復元可能である、方法。
【請求項２】
　前記基本パスワードを前記サーバ・コンピュータ・システムから前記クライアント・コンピュータ・システムに転送するステップの前に、基本パスワードを、前記サーバ・コンピュータ・システムによって暗号化するステップを含む、請求項１記載の方法。
【請求項３】
　前記サーバ・コンピュータ・システムから送信された前記基本パスワードを、前記クライアント・コンピュータ・システムによって復号するステップを含む、請求項２記載の方法。
【請求項４】
　前記転送されたが前記期待される答えに同じでないことに応答して前記基本パスワードの転送を禁止し、それによって前記クライアント・コンピュータ・システムへのアクセスを禁止するステップを含む、請求項１記載の方法。
【請求項５】
　前記クライアント・コンピュータ・システムが前記基本パスワードを前記サーバ・コンピュータ・システムから受信したことに応答して前記ブート・プロセスを完了するステップを含む、請求項１記載の方法。
【請求項６】
　暗号化キー・ペア法を利用して前記クライアント・コンピュータ・システムと前記サーバ・コンピュータ・システム間の転送を暗号化するステップを含む、請求項１記載の方法
。
【請求項７】
　クライアント・コンピュータ・システムの基本パスワードをリモートで復元するデータ処理システムであって、該基本パスワードはユーザが該クライアント・コンピュータ・システムにアクセスする前に必要であり、該クライアント・コンピュータ・システムはネットワークを利用してサーバ・コンピュータ・システムに接続されており、
　前記クライアント・コンピュータ・システムは、
　ユーザによって与えられた質問及び期待される答えをクライアント・コンピュータ・システムの固有クライアントＩＤとともに前記クライアント・コンピュータ・システムから前記サーバ・コンピュータ・システムに転送する手段を含み、
　前記サーバ・コンピュータ・システムは、
　前記転送された質問及び期待される答えをクライアント・コンピュータ・システムＩＤとともに前記サーバ・コンピュータ・システムの保護ストレージ中に保存する手段を含み、
　前記クライアント・コンピュータ・システムは、
　ブート・プロセスを完了する前に、前記基本パスワードの入力をユーザに要求する手段と、
　ブート・プロセスを完了する前に、前記基本パスワードの入力ミスに応答して、
　　前記基本パスワードの入力ミスに応答し、前記質問のためのリクエストを前記クライアント・コンピュータ・システムから前記サーバ・コンピュータ・システムに転送する手段と、
　を含み、
　前記サーバ・コンピュータ・システムは、
　要求された質問を前記サーバ・コンピュータ・システムから前記クライアント・コンピュータ・システムに転送する手段
　を含み、
　前記クライアント・コンピュータ・システムは、
　前記転送された質問を表示する手段と、
　前記表示された質問に対する答えを入力することを、ユーザに要求する手段と、
　前記入力された答えを前記クライアント・コンピュータ・システムから前記サーバ・コンピュータ・システムに転送する手段と
　を含み、
　前記サーバ・コンピュータ・システムは、
　前記転送された答えと前記クライアント・コンピュータ・システムにある前記期待される答えを比較する手段と、
　前記答えが同じならば、前記基本パスワードを前記サーバ・コンピュータ・システムから前記クライアント・コンピュータ・システムに転送する手段と
　を含み、
　前記クライアント・コンピュータ・システムが、前記ブート・プロセスを完了する前に、前記転送された基本パスワードを利用することによって、前記サーバ・コンピュータ・システムから前記基本パスワードを復元可能である、
　データ処理システム。
【請求項８】
　前記基本パスワードを前記サーバ・コンピュータ・システムから前記クライアント・コンピュータ・システムに転送する前に、基本パスワードを、前記サーバ・コンピュータ・システムによって暗号化する手段を含む、請求項７記載のデータ処理システム。
【請求項９】
　前記サーバ・コンピュータ・システムから送信された前記基本パスワードを、前記クライアント・コンピュータ・システムによって復号する手段を含む、請求項８記載のデータ処理システム。
【請求項１０】
　前記転送されたが前記期待される答えに同じでないことに応答して前記基本パスワードの転送を禁止し、それによって前記クライアント・コンピュータ・システムへのアクセスを禁止する手段を含む、請求項７記載のデータ処理システム。
【請求項１１】
　前記クライアント・コンピュータ・システムが前記基本パスワードを前記サーバ・コンピュータ・システムから受信したことに応答して前記ブート・プロセスを完了する手段を含む、請求項７記載のデータ処理システム。
【請求項１２】
　暗号化キー・ペア法を利用して前記クライアント・コンピュータ・システムと前記サーバ・コンピュータ・システム間の転送を暗号化する手段を含む、請求項７記載のデータ処理システム。」
　
から
　
「【請求項１】
　データ処理システムにおいてクライアント・コンピュータ・システムの基本パスワードをリモートで復元する方法であって、該基本パスワードはユーザが該クライアント・コンピュータ・システムにアクセスする前に必要であり、該クライアント・コンピュータ・システムはネットワークを利用してサーバ・コンピュータ・システムに接続されており、
　前記方法は、
　ユーザによって与えられた質問及び期待される答えをクライアント・コンピュータ・システムの固有クライアントＩＤとともに前記クライアント・コンピュータ・システムから前記サーバ・コンピュータ・システムに、前記クライアント・コンピュータ・システムによって転送するステップと、
　前記転送された質問及び期待される答えをクライアント・コンピュータ・システムの前記固有クライアントＩＤとともに前記サーバ・コンピュータ・システムの保護ストレージ中に前記サーバ・コンピュータ・システムによって保存するステップと、
　前記クライアント・コンピュータ・システムがブート・プロセスを完了する前に、
　　前記基本パスワードの入力をユーザに要求するステップと、
　　前記基本パスワードの入力ミスに応答して、
　　　前記基本パスワードの入力ミスに応答し、前記質問のためのリクエストを前記クライアント・コンピュータ・システムから前記サーバ・コンピュータ・システムに、前記クライアント・コンピュータ・システムによって転送するステップと、
　　　要求された質問を前記サーバ・コンピュータ・システムから前記クライアント・コンピュータ・システムに、前記サーバ・コンピュータ・システムによって転送するステップと、
　　　前記転送された質問を前記クライアント・コンピュータ・システムによって表示するステップと、
　　　前記表示された質問に対する答えを入力することを、ユーザに前記クライアント・コンピュータ・システムによって要求するステップと、
　　　前記入力された答えを前記クライアント・コンピュータ・システムから前記サーバ・コンピュータ・システムに、前記クライアント・コンピュータ・システムによって転送するステップと、
　　　前記転送された答えと前記保存された前記期待される答えとを、前記サーバ・コン
ピュータ・システムによって比較するステップと、
　　　前記答えが同じならば、前記固有クライアントＩＤに関連付けられた前記基本パスワードを前記サーバ・コンピュータ・システムから前記クライアント・コンピュータ・システムの基本入出力システム（ＢＩＯＳ）に、前記サーバ・コンピュータ・システムによって転送するステップと、
　　を含み、
　前記クライアント・コンピュータ・システムが、前記ブート・プロセスを完了する前に前記転送された基本パスワードを利用することによって、前記サーバ・コンピュータ・システムから前記基本パスワードを復元可能である、方法。
【請求項２】
　前記基本パスワードを前記サーバ・コンピュータ・システムから前記クライアント・コンピュータ・システムに転送するステップの前に、基本パスワードを、前記サーバ・コンピュータ・システムによって暗号化するステップを含む、請求項１記載の方法。
【請求項３】
　前記サーバ・コンピュータ・システムから送信された前記基本パスワードを、前記クライアント・コンピュータ・システムによって復号するステップを含む、請求項２記載の方法。
【請求項４】
　前記転送されたが前記期待される答えに同じでないことに応答して前記基本パスワードの転送を禁止し、それによって前記クライアント・コンピュータ・システムへのアクセスを禁止するステップを含む、請求項１記載の方法。
【請求項５】
　前記クライアント・コンピュータ・システムが前記基本パスワードを前記サーバ・コンピュータ・システムから受信したことに応答して前記ブート・プロセスを完了するステップを含む、請求項１記載の方法。
【請求項６】
　暗号化キー・ペア法を利用して前記クライアント・コンピュータ・システムと前記サーバ・コンピュータ・システム間の転送を暗号化するステップを含む、請求項１記載の方法
。
【請求項７】
　クライアント・コンピュータ・システムの基本パスワードをリモートで復元するデータ処理システムであって、該基本パスワードはユーザが該クライアント・コンピュータ・システムにアクセスする前に必要であり、該クライアント・コンピュータ・システムはネットワークを利用してサーバ・コンピュータ・システムに接続されており、
　前記クライアント・コンピュータ・システムは、
　ユーザによって与えられた質問及び期待される答えをクライアント・コンピュータ・システムの固有クライアントＩＤとともに前記クライアント・コンピュータ・システムから前記サーバ・コンピュータ・システムに転送する手段を含み、
　前記サーバ・コンピュータ・システムは、
　前記転送された質問及び期待される答えをクライアント・コンピュータ・システムの前記固有クライアントＩＤとともに前記サーバ・コンピュータ・システムの保護ストレージ中に保存する手段を含み、
　前記クライアント・コンピュータ・システムは、
　ブート・プロセスを完了する前に、前記基本パスワードの入力をユーザに要求する手段と、
　ブート・プロセスを完了する前に、前記基本パスワードの入力ミスに応答して、
　　前記基本パスワードの入力ミスに応答し、前記質問のためのリクエストを前記クライアント・コンピュータ・システムから前記サーバ・コンピュータ・システムに転送する手段と、
　を含み、
　前記サーバ・コンピュータ・システムは、
　要求された質問を前記サーバ・コンピュータ・システムから前記クライアント・コンピュータ・システムに転送する手段
　を含み、
　前記クライアント・コンピュータ・システムは、
　前記転送された質問を表示する手段と、
　前記表示された質問に対する答えを入力することを、ユーザに要求する手段と、
　前記入力された答えを前記クライアント・コンピュータ・システムから前記サーバ・コンピュータ・システムに転送する手段と
　を含み、
　前記サーバ・コンピュータ・システムは、
　前記転送された答えと前記保存された前記期待される答えとを比較する手段と、
　前記答えが同じならば、前記固有クライアントＩＤに関連付けられた前記基本パスワードを前記サーバ・コンピュータ・システムから前記クライアント・コンピュータ・システムの基本入出力システム（ＢＩＯＳ）に転送する手段と
　を含み、
　前記クライアント・コンピュータ・システムが、前記ブート・プロセスを完了する前に、前記転送された基本パスワードを利用することによって、前記サーバ・コンピュータ・システムから前記基本パスワードを復元可能である、
　データ処理システム。
【請求項８】
　前記基本パスワードを前記サーバ・コンピュータ・システムから前記クライアント・コンピュータ・システムに転送する前に、基本パスワードを、前記サーバ・コンピュータ・システムによって暗号化する手段を含む、請求項７記載のデータ処理システム。
【請求項９】
　前記サーバ・コンピュータ・システムから送信された前記基本パスワードを、前記クライアント・コンピュータ・システムによって復号する手段を含む、請求項８記載のデータ処理システム。
【請求項１０】
　前記転送されたが前記期待される答えに同じでないことに応答して前記基本パスワードの転送を禁止し、それによって前記クライアント・コンピュータ・システムへのアクセスを禁止する手段を含む、請求項７記載のデータ処理システム。
【請求項１１】
　前記クライアント・コンピュータ・システムが前記基本パスワードを前記サーバ・コンピュータ・システムから受信したことに応答して前記ブート・プロセスを完了する手段を含む、請求項７記載のデータ処理システム。
【請求項１２】
　暗号化キー・ペア法を利用して前記クライアント・コンピュータ・システムと前記サーバ・コンピュータ・システム間の転送を暗号化する手段を含む、請求項７記載のデータ処理システム。」
　
に補正された。
　
　本件手続補正は、補正前の「クライアント・コンピュータ・システムＩＤとともに」を「クライアント・コンピュータ・システムの固有クライアントＩＤとともに」と補正し、また、補正前の「前記転送された答えと前記クライアント・コンピュータ・システムにある前記期待される答えを、前記サーバ・コンピュータ・システムによって比較する」を「転送された答えと前記保存された前記期待される答えとを、前記サーバ・コンピュータ・システムによって比較する」と補正するものであり、誤記の訂正を目的とするものである。
　また、補正前の「前記答えが同じならば、前記基本パスワードを前記サーバ・コンピュータ・システムから前記クライアント・コンピュータ・システムに、前記サーバ・コンピュータ・システムによって転送する」を「前記答えが同じならば、前記固有クライアントＩＤに関連付けられた前記基本パスワードを前記サーバ・コンピュータ・システムから前記クライアント・コンピュータ・システムの基本入出力システム（ＢＩＯＳ）に、前記サーバ・コンピュータ・システムによって転送する」と補正するものであり、特許請求の範囲の減縮を目的とするものである。
　また、上記特許請求の範囲の補正は、願書に最初に添付した明細書又は図面に記載した事項の範囲内においてされたものである。 
　従って、本件手続補正は、特許法第１７条の２第３項、第４項第２号及び第３号の規定に適合してなされたものである。 
　
３．原査定の理由
　原審における拒絶査定の要旨は、本願発明は拒絶に理由に引用された特開平１０−１８７６１８号公報（以下、「引用文献１」という。）、特開平１１−２１２９２２号公報（以下、「引用文献２」という。）及び拒絶査定の備考欄で提示された　若松陽介，「メガギガインターネット　第２５回ＯＥ５で「Ｈｏｔｍａｉｌ」サービスを利用する」，Ｗｉｎｄｏｗｓ　Ｓｔａｒｔ，株式会社毎日コミュニケーションズ，１９９９年６月２９日，第４巻，第８号，p.258-p.259（以下、「周知文献」という。）に基づいて、当業者が容易に発明をすることができたものであるから、特許法第２９条第２項の規定により特許を受けることができないというものである。
　
４．当審の検討・判断
　上記２．検討したように、平成１６年６月１４日付け手続補正は適法になされたものであるから、本願の請求項１−１２に係る発明は、平成１６年６月１４日付けで補正された明細書の記載からみて、本願の特許請求の範囲の請求項１−１２に記載されたとおりのものと認める。
　本願の特許請求の範囲の請求項１に係る発明（以下、「本願発明」という。）と、引用文献１，２に記載された事項及び周知文献に記載された周知の事項を組み合わせた発明（以下、「引用発明」という。）とを比較すると、少なくとも次の点で相違する。
　
（相違点）
　本願発明では、基本パスワードはクライアント・コンピュータ・システムの基本入出力システム（ＢＩＯＳ）に転送されることにより復元されるものであるのに対し、引用発明は基本パスワードが画面上に表示されユーザに提示されることにより復活されるものである点
　
（相違点についての判断）
　引用発明では、基本パスワードを忘却したユーザに対し、所定の条件を満たしたときに基本パスワードを通知して教えることを主眼とするものであり、基本パスワードを教えられたユーザは通常はシステムに基本パスワードを入力し直すことによりシステムを使用可能な状態にするものである。これに対し、本願発明は、パスワードのセキュリティ面に配慮し、たとえ所定の条件を満たしてもパスワードを忘却したユーザにはパスワードを教えることなく、システムを使用可能な状態にするものである。そのために画面に基本パスワードを表示することなく、直接ＢＩＯＳに転送しシステムを使用可能な状態としている。このように、基本パスワードをユーザに通知し、ユーザがＢＩＯＳに入力することにより結果としてシステムを使用可能な状態にする引用発明に対し、本願発明において基本パスワードを画面に表示することなく直接ＢＩＯＳに入力することは、パスワードのセキュリティ面に配慮しており、単に人間の行為の削減、業務の省力化ではないから、人間の行っている行為の単なるシステム化ということはできず上記相違点を設計事項程度のものと言うことはできない。
　従って、他の相違点については検討するまでもなく、本願発明が引用発明から容易に発明をすることができたものということはできない。
　また、請求項２−６に係る発明は本願発明を引用するものであり、請求項７に係る発明は本願発明とカテゴリーが異なるだけであり、請求項８−１２に係る発明は請求項７に係る発明を引用するものであるから、上記と同様の理由で引用発明から容易に発明をすることができたものではない。
　また、他に本願を拒絶すべき理由を発見しない。
　よって、結論のとおり審決する。